(57)【特許請求の範囲】
【請求項１】
端子装置の絶縁ケースに形成された取り付け部に取り付けられたアース取付金具を介して、アース板を取り付けるとともに、アース板に取り付けられたプラグイン保安器を、可撓性のリード線を有する接続部材を介して、端子装置に接続するように構成したことを特徴とする保安装置。
【発明の詳細な説明】
【技術分野】
【０００１】
本発明は、端子装置に、プラグイン保安器を取り付けてなる保安装置に関するものである。
【背景技術】
【０００２】
以下に、図３を用いて、従来の保安装置の一例として、本出願人の先の出願に係る特許文献１に開示されている保安装置について概説する。
【０００３】
図３に示されているように、従来の保安装置Ｈは、プラグイン保安器Ｓと端子装置Ｕから構成されている。
【０００４】
プラグイン保安器Ｓは、絶縁材で形成されたケースｓを有しており、このケースｓ内には、公知のバリスタや避雷管等からなるサージ吸収回路が配設されている。
【０００５】
プラグイン保安器Ｓのケースｓには、縦方向に延びる貫通孔ｓ１が形成されており、貫通孔ｓ１は、貫通孔ｓ１に挿通されるボルトｂの頭部ｂ１の外径より若干大きな内径を有する上部孔ｓ１１、上部孔ｓ１１の内径より小径の内径を有する中間孔ｓ１２及び中間孔ｓ１２の内径より小径の内径を有する下部孔ｓ１３から構成されている。また、上部孔ｓ１１の開口部の下方には、上部孔ｓ１１の内側に向かうフランジｓ１４が形成されている。なお、ｗは、フランジｓ１４の下面に当接するワッシャーである。
【０００６】
端子装置Ｕは、絶縁ケースｕ１を有しており、絶縁ケースｕ１内には、公知の端子盤端子ｕ２、ｕ３が多数並設されているとともに、プラグイン保安器Ｓに配設されたサージ吸収回路を外部と接続する公知の嵌合凹部からなる端子部ｕ４、ｕ５、ｕ６が多数並設されている。
【０００７】
ｕ７は、端子装置Ｕの上面に、多数並設された、プラグイン保安器Ｓのライン端子ｆが挿着可能な嵌合凹部からなる、上述した端子部ｕ４、ｕ５、ｕ６と同様の端子部であり、端子装置Ｕの端子部ｕ７に、プラグイン保安器Ｓのライン端子ｆを挿着させることにより、端子装置Ｕにプラグイン保安器Ｓを取り付ける。
【０００８】
端子装置Ｕの絶縁ケースｕ１には、ボルトｕ８が取着された取り付け部ｕ９が形成されており、ボルトｕ８に、略逆Ｌ字状のアース板ｕ１０の垂直部ｕ１０’に穿設された透孔を挿通するとともに、ボルトｕ８にナットｕ１１を螺合することにより、絶縁ケースｕ１に、アース板ｕ１０が取着されている。アース板ｕ１０の水平部ｕ１０”は、上述したように、端子装置Ｕにプラグイン保安器Ｓを取り付けた際に、ケースｓに配置されたアース端子金具ｅと接触するように構成されている。
【０００９】
上述したように、端子装置Ｕの端子部ｕ７に、プラグイン保安器Ｓのライン端子ｆを挿着させ、次いで、プラグイン保安器Ｓの貫通孔ｓ１に挿通されたボルトｂの頭部ｂ１にドライバーを当てて、コイルスプリングｙに抗してボルトｂを下方に押圧するとともに、ボルトｂを回転させて、ボルトｂを、アース板ｕ１０の水平部ｕ１０”に固着されたナットｎに螺合させることにより、端子装置Ｕに、プラグイン保安器Ｓを取り付けるように構成されている。
【００１０】
【特許文献１】特許第３３１５５４８号特許公報
【発明の開示】
【発明が解決しようとする課題】
【００１１】
従来、保安装置は、端子装置として使用されている際には、所定の線路に接続されて、電気回路や信号回路等の端子装置として使用されていた。
【００１２】
プラグイン保安器を、端子装置の端子盤端子に配置するために、既に使用している端子盤端子を、他の端子盤端子に配線替えすることも考えられるが、電気回路や信号回路は、一時的にしても、配線替えによる線路の断線ができない場合もあり、この状態では、プラグイン保安器を配置することができないという問題があった。
【００１３】
また、既に、端子装置にプラグイン保安器が付加されている保安装置の場合には、端子装置に配置されたアース板の構成や配置等から、端子装置の任意の端子盤端子に、プラグイン保安器を挿着することはできないという問題があった。
【００１４】
本発明の目的は、上述した従来の保安装置が有する課題を解決することにある。
【課題を解決するための手段】
【００１５】
本発明は、上述した目的を達成するために、端子装置の絶縁ケースに形成された取り付け部に取り付けられたアース取付金具を介して、アース板を取り付けるとともに、アース板に取り付けられたプラグイン保安器を、可撓性のリード線を有する接続部材を介して、端子装置に接続するように構成したものである。
【発明の効果】
【００１６】
本発明は、上述した構成を有しているので、以下に記載する効果を奏することができる。
【００１７】
上述したように、端子装置の絶縁ケースに形成された取り付け部に取り付けられたアース取付金具を介して、アース板を取り付けるとともに、アース板に取り付けられたプラグイン保安器を、接続部材を介して、端子装置に接続するように構成したので、接続部材を、端子装置に設けられた任意の端子部に挿着することができ、従って、電気回路や信号回路の配線替えを、線路の断線を惹起することなく行うことができる。
【００１８】
上述したように、端子装置の絶縁ケースに形成された取り付け部に取り付けられたアース取付金具を介して、アース板を取り付けるとともに、アース板に取り付けられたプラグイン保安器を、接続部材を介して、端子装置に接続するように構成したので、接続部材を、端子装置に設けられた任意の端子部に挿着することができ、従って、既に、端子装置に、プラグイン保安器が付加されている保安装置の場合には、端子装置に配置されたアース板の構成や配置等から、端子装置の任意の端子盤端子に、プラグイン保安器を挿着することはできないという問題を解決することができる。
【実施例】
【００１９】
以下に、図１及び図２を用いて、本発明の実施例について説明するが、本発明の趣旨を越えない限り、何ら、本実施例に限定されるものではない。なお、上述した保安装置Ｈを構成するプラグイン保安器Ｓ及び端子装置Ｕの基本的な構成は、本発明の保安装置Ｈにおいても同じであるので、以下においては、上述した保安装置Ｈとことなる構成について説明するとともに、同じ構成については、その説明を省略するとともに、同じ符号を使用する。
【００２０】
上述した従来の保安装置Ｈにおいては、端子装置Ｕの絶縁ケースｕ１に形成された取り付け部ｕ９に、ボルトｕ８及びナットｕ１１により、直に、略逆Ｌ字状のアース板ｕ１０が取り付けられているが、本発明においては、端子装置Ｕの絶縁ケースｕ１に形成された取り付け部ｕ９に、ボルトｕ８及びナットｕ１１により、縦長の帯状板材として形成された、水平断面形状が略Ｕ字状のアース取付金具１を介して、アース板ｕ１０が取り付けられるように構成されている。
【００２１】
上述したアース取付金具１の上下端部には、透孔１ａが穿設されており、取り付け部ｕ９に、垂直状態のアース取付金具１の下端部を配置するとともに、アース取付金具１の下端部に穿設された透孔１ａ及び取り付け部ｕ９に穿設された透孔（図示されていない。）に、ボルトｕ８を挿通し、その後、ボルトｕ８にナットｕ１１を螺合させることにより、取り付け部ｕ９に、アース取付金具１を取り付ける。
【００２２】
また、アース取付金具１の上端部に穿設された透孔１ａ及び略逆Ｌ字状のアース板ｕ１０の垂直部ｕ１０’に穿設された透孔（図示されていない。）に、ボルト２を挿通し、その後、ボルト２にナット３を螺合させることにより、取り付け部ｕ９の上端部に、アース板ｕ１０を取り付ける。
【００２３】
上述した従来の保安装置Ｈにおいては、プラグイン保安器Ｓは、端子装置Ｕの端子部ｕ７に、プラグイン保安器Ｓのライン端子ｆを挿着させることにより、端子装置Ｕに取り付けられているが、本発明においては、アース取付金具１の上端部に取り付けられたアース板ｕ１０に取り付けられることになる。プラグイン保安器Ｓのアース取付金具１の上端部に取り付けられたアース板ｕ１０への取り付けは、上述した従来の保安装置Ｈと同様である。即ち、プラグイン保安器Ｓの貫通孔ｓ１に挿通されたボルトｂの頭部ｂ１にドライバーを当てて、コイルスプリングｙに抗してボルトｂを下方に押圧するとともに、ボルトｂを回転させて、ボルトｂを、アース取付金具１の上端部に取り付けられたアース板ｕ１０の水平部ｕ１０”に固着されたナットｎに螺合させることにより、アース取付金具１の上端部に取り付けられたアース板ｕ１０に、プラグイン保安器Ｓが取り付けられることになる。
【００２４】
４は、接続部材であり、接続部材４は、可撓性のリード線４ａを有しており、リード線４ａの一端には、着脱自在なコネクタ４ｂが取り付けられており、また、リード線４ａの他端には、リセプタクル４ｃが取り付けられている。
【００２５】
上述した接続部材４のリセプタクル４ｃを、端子装置Ｕの上面に設けられた、プラグイン保安器Ｓのライン端子ｆが挿着可能な端子部ｕ７に挿着するとともに、接続部材４のコネクタ４ｂを、プラグイン保安器Ｓのライン端子ｆに接続することにより、プラグイン保安器Ｓが、端子装置Ｕに接続されるように構成されている。
【００２６】
そして、プラグイン保安器Ｓが接続されていない端子装置Ｕの他の端子盤端子ｕ２、ｕ３には、電気回線や信号回線が接続されている。
【００２７】
上述したように、端子装置Ｕの絶縁ケースｕ１に形成された取り付け部ｕ９に取り付けられたアース取付金具１を介して、アース板ｕ１０を取り付けるとともに、アース板ｕ１０に取り付けられたプラグイン保安器Ｓを、接続部材４を介して、端子装置Ｕに接続するように構成したので、接続部材４のリセプタクル４ｃを、端子装置Ｕに設けられた任意の端子部ｕ４〜ｕ７に挿着することができ、従って、電気回路や信号回路の配線替えを、線路の断線を惹起することなく行うことができる。
【００２８】
上述したように、端子装置Ｕの絶縁ケースｕ１に形成された取り付け部ｕ９に取り付けられたアース取付金具１を介して、アース板ｕ１０を取り付けるとともに、アース板ｕ１０に取り付けられたプラグイン保安器Ｓを、接続部材４を介して、端子装置Ｕに接続するように構成したので、接続部材４のリセプタクル４ｃを、端子装置Ｕに設けられた任意の端子部ｕ４〜ｕ７に挿着することができ、従って、既に、端子装置に、プラグイン保安器が付加されている保安装置の場合には、端子装置に配置されたアース板の構成や配置等から、端子装置の任意の端子盤端子に、プラグイン保安器を挿着することはできないという問題を解決することができる。
【図面の簡単な説明】
【００２９】
【図１】図１は、本発明の保安装置の正面図である。
【図２】図２は、本発明の保安装置を構成するアース取付金具の斜視図である。
【図３】図３は、従来の保安装置の正面図である。
【符号の説明】
【００３０】
Ｈ・・・・・・・・・・・・・・保安装置
Ｓ・・・・・・・・・・・・・・プラグイン保安器
Ｕ・・・・・・・・・・・・・・端子装置
ｂ、２・・・・・・・・・・・・ボルト
ｅ・・・・・・・・・・・・・・アース端子金具
ｎ、３・・・・・・・・・・・・ナット
ｓ・・・・・・・・・・・・・・ケース
ｙ・・・・・・・・・・・・・・コイルスプリング
ｕ１・・・・・・・・・・・・・絶縁ケース
ｕ２、ｕ３・・・・・・・・・・端子盤端子
ｕ４、ｕ５、ｕ６、ｕ７・・・・端子部
ｕ９・・・・・・・・・・・・・取り付け部
ｕ１０・・・・・・・・・・・・アース板
１・・・・・・・・・・・・・・アース取付金具
４・・・・・・・・・・・・・・接続部材
【図１】
0005094358.tif 000002
【図２】
0005094358.tif 000003
【図３】
0005094358.tif 000004